(57)【要約】【課題】ＤＶＤ＋ＲＷ方式の光ディスクにおいてウォブル信号のノイズによる影響を低減しＡＤＩＰのアドレス信号を正確に検出するアドレス情報検出回路を提供する。【解決手段】ウォブル信号とウォブル信号の搬送波とを乗算して積分した信号を前の検出したＡＤＩＰ信号の位置からゲート信号を形成し、ゲート信号の位置によって、積算していくことにより、ＡＤＩＰ信号をＳＹＮＣ，ＺＥＲＯ，ＯＮＥ信号に識別する情報を加えることによって、より正確なアドレス情報を検出することができるようにした。【選択図】  図１
2007310975.tif 000002
【特許請求の範囲】
【請求項１】
データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、
上記データ記録用トラックのウォブル信号をデジタル信号化するＡ／Ｄコンバータと、
上記デジタル化したウォブル信号の波形整形を行う第１のデジタルフィルタと、
上記ウォブル信号と周波数が等しい単一搬送波を生成する生成回路と、
上記生成回路で生成された単一搬送波の位相を、上記ウォブル信号の位相と同期するよう調整する位相調整回路と、
上記第１のデジタルフィルタから出力されるウォブル信号と、上記位相調整回路から出力される単一搬送波とを乗算し、位相変調信号として出力する乗算器と、
上記位相変調信号の高域成分を除去する第２のデジタルフィルタと、
上記位相変調信号の位相変調部と同期したゲート信号を生成するゲート信号生成回路と、
上記第２のデジタルフィルタの出力から位相変調パターンを判別する判別器とを備え、
上記判別器は、
上記ゲート信号に従って上記第２のデジタルフィルタの出力信号を加算する加算器と、
上記加算器を、上記ゲート信号に従って、リセットするセレクターとを有している、
ことを特徴とするアドレス情報検出回路。
【請求項２】
請求項１に記載のアドレス情報検出回路において、
上記光ディスクは、ＤＶＤ＋ＲＷまたはＤＶＤ＋Ｒ方式の光ディスクであり、
上記判別器は、上記位相変調信号の位相変調部に基づいて、上記位相変調信号がシンクパターン、ゼロパターン、またはワンパターンのいずれの位相変調パターンであるかを識別する、
ことを特徴とするアドレス情報検出回路。
【請求項３】
請求項２に記載のアドレス情報検出回路において、
上記ゲート信号生成回路は、上記位相変調パターンを識別するためのゲート信号およびリセット信号を生成し、
上記判別器は、上記ゲート信号に基づいて加算するｂｉｔ数を変更するレジスタを備え、上記リセット信号が入力されると、加算するｂｉｔ数をリセットする、
ことを特徴とするアドレス情報検出回路。
【請求項４】
データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、
上記データ記録用トラックのウォブル信号を、デジタル信号化するＡ／Ｄコンバータと、
上記デジタル化したウォブル信号の波形整形を行う第１のデジタルフィルタと、
上記ウォブル信号と周波数が等しい単一搬送波を生成する生成回路と、
上記生成回路で生成された単一搬送波の位相を、上記ウォブル信号の位相と同期するよう調整する位相調整回路と、
上記第１のデジタルフィルタから出力されるウォブル信号と、上記位相調整回路から出力される単一搬送波とを乗算し、位相変調信号として出力する乗算器と、
上記、位相変調信号の高域成分を除去する第２のデジタルフィルタと、
上記位相変調信号の位相変調部と同期したゲート信号を生成するゲート信号生成回路と、
上記第２のデジタルフィルタの出力から位相変調パターンを判別する判別器と、
上記第１のデジタルフィルタの係数を少なくも２種類以上の任意の値に設定し、該第１のデジタルフィルタの係数を、上記ゲート信号に基づいて切り替える切替手段とを備えた、
ことを特徴とするアドレス情報検出回路。
【請求項５】
データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、
上記データ記録用トラックのウォブル信号をデジタル信号化するＡ／Ｄコンバータと、
上記デジタル化したウォブル信号の波形整形を行う第１のデジタルフィルタと、
上記第１のデジタルフィルタの出力の振幅を、少なくも２種類以上の振幅調整値に調整する振幅調整回路と、
上記ウォブル信号と周波数が等しい単一搬送波を生成する生成回路と、
上記生成回路で生成された単一搬送波の位相を、上記ウォブル信号の位相と同期するよう調整する位相調整回路と、
上記振幅調整回路から出力されるウォブル信号と、上記位相調整回路から出力される単一搬送波とを乗算し、位相変調信号として出力する乗算器と、
上記位相変調信号の高域成分を除去する第２のデジタルフィルタと、
上記位相変調信号の位相変調部と同期したゲート信号を生成するゲート信号生成回路と、
上記第２のデジタルフィルタの出力から位相変調パターンを判別する判別器と、
上記振幅調整回路により調整する振幅調整値を、上記ゲート信号に基づいて切り替える切替手段と、を備えた、
ことを特徴とするアドレス情報検出回路。
【請求項６】
データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、
上記データ記録用トラックのウォブル信号をデジタル信号化するＡ／Ｄコンバータと、
上記デジタル化したウォブル信号の波形整形を行う第１のデジタルフィルタと、
上記ウォブル信号と周波数が等しい単一搬送波を生成する生成回路と、
上記生成回路で生成された単一搬送波の位相を、上記ウォブル信号の位相と同期するよう調整する位相調整回路と、
上記第１のデジタルフィルタから出力されるウォブル信号と、上記位相調整回路から出力される単一搬送波とを乗算し、位相変調信号として出力する乗算器と、
上記位相変調信号の高域成分を除去する第２のデジタルフィルタと、
上記位相変調信号の位相変調部と同期したゲート信号を生成するゲート信号生成回路と、
上記第２のデジタルフィルタの出力から位相変調パターンを判別する判別器と、
上記第２のデジタルフィルタの出力を２値化してＡＤＩＰ変調信号として出力するための少なくも２つのスライスレベルを設定するＡＤＩＰ検出回路と、
上記スライスレベルを、上記ゲート信号に基づいて切り替える切替手段とを備えた、
ことを特徴とするアドレス情報検出回路。
【請求項７】
データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、
上記データ記録用トラックのウォブル信号をデジタル信号化するＡ／Ｄコンバータと、
上記デジタル化したウォブル信号の波形整形を行うデジタルフィルタと、
上記ウォブル信号と周波数が等しい単一搬送波を生成する生成回路と、
上記生成回路で生成された単一搬送波の位相を、上記ウォブル信号の位相と同期するよう調整する位相調整回路と、
上記第１のデジタルフィルタから出力されるウォブル信号と、上記位相調整回路から出力される単一搬送波とを乗算する乗算器と、
上記乗算器の出力を積分する第２のデジタルフィルタと、
上記ウォブル信号の位相変調信号から位相変調部と同期したゲート信号を生成するゲート信号生成回路と、
上記位相調整回路において少なくも２つのゲインを設定し、上記ゲート信号に基づいて切り替える切替手段とを備えた、
ことを特徴とするアドレス情報検出回路。
【発明の詳細な説明】
【技術分野】
【０００１】
本発明は、ＤＶＤ＋ＲＷ方式の光ディスクに対して、データ記録を行う光ディスクドライブ装置のＡＤＩＰと呼ばれるアドレス情報検出回路に関する。
【背景技術】
【０００２】
光ディスクではデータは螺旋状に記録される。そのため、記録時に同螺旋上を光ヘッドが正しく追従できるように、記録可能な光ディスクには案内溝（グルーブ）が予め記録してある。また、グルーブを一定周期で蛇行（ウォブル）して記録し、再生時にはこのウォブル周期を測定することにより走査速度を検出し、回転速度に同期したクロック信号を得ることができる。
【０００３】
ところで、記録可能な光ディスクには、光ディスクにアドレスデータが予め記録されている必要がある。光ディスクドライブ装置は、データを記録する前に、アドレスデータを再生し、再生されたアドレスデータから光ディスク上の位置を特定し、データを記録する。アドレスデータの記録方式として、トラックにピットを予め形成するプレピット方式と、グルーブをアドレスに応じて変調するウォブル変調方式とがある。プレピット方式は、ＤＶＤ−Ｒ／ＲＷ、ＤＶＤ−ＲＡＭで採用され、ウォブル変調方式はＣＤ−Ｒ／ＲＷ、ＤＶＤ＋Ｒ／ＲＷで採用されている。プレピット方式では記録信号はエッジ部分に情報を持たせているので、信頼性に欠ける傾向があり、ウォブル変調方式でアドレスデータを記録することが好ましい。
【０００４】
特に、ＤＶＤ＋ＲＷ方式の光ディスクでは、ＡＤＩＰ（Ａｄｄｒｅｓｓ  ｉｎ  Ｐｒｅ-ｇｒｏｏｖｅ)と呼ばれるアドレス情報が、記録媒体上に予めウォブル変調方式でプレフォーマットされている。この光ディスクにおいてデータを記録する際には、ＡＤＩＰを再生してアドレス情報を検出し、検出したアドレス情報から光ディスク上の位置を特定してデータを記録する。
【０００５】
位相変調されたウォブル信号からＡＤＩＰ信号を再生する回路として、特許文献１に示すような回路が開示されている。特許文献１に示す従来のアドレス情報検出回路は、検出したＡＤＩＰ信号をそのままラッチして出力するようにしている。
【０００６】
ＡＤＩＰでは、８ウォブルのＡＤＩＰユニットと８５ウォブルのモノトーンウォブルとの合計９３ウォブルにより「ＡＤＩＰピット」を表すべく、規格として定められている。図１０において、図１０（ａ）はモノトーンウォブルを示している。その８ウォブルのＡＤＩＰユニットにおいては、図１０（ｂ）〜（ｄ）に示すように、３つのパターンのＡＤＩＰピットが存在する。すなわち、図１０（ｂ）に示す、ＡＤＩＰワードの切れ目を示すシンクパターンと、図１０（ｃ）に示す、ＡＤＩＰ＝０を示すゼロパターンと、図１０（ｄ）に示す、ＡＤＩＰ＝１を示すワンパターン、である。
【特許文献１】特開２００３−８５７４９号公報
【発明の開示】
【発明が解決しようとする課題】
【０００７】
上述のように、ＤＶＤ＋ＲＷ方式の光ディスクにおいて、３２Ｔウォブル（正弦波）の位相を１８０度反転させたウォブルと通常のウォブルの位相変調によってＡＤＩＰとよばれるアドレス情報を形成して信号に乗せているが、高倍速化やさまざまな品質のメディアが市場に流通することによりウォブル信号の劣化が懸念される。
【０００８】
また、従来のアドレス情報検出回路では、ウォブルＡＤＩＰ変調部を検出する際、ウォブル信号に同期したキャリア信号を乗算し、その積分値を３２Ｔ毎にラッチすることで検出するため、ウォブル信号にノイズなどの影響がある場合、単純なスライス方式の二値化ではＡＤＩＰ信号を誤検出することによってＡＤＩＰ信号のシンクパターン，ゼロパターン，ワンパターンを誤判定する確立が多くなってしまう。さらに、ウォブルのジッタが大きい場合、隣接トラックのＡＤＩＰ信号がクロストークする場合等の要因でもＡＤＩＰ信号を誤検出してしまう。
【０００９】
本発明は、上記問題点を解決するためになされたものであり、情報記録媒体の欠陥やクロストークに影響されることなく、アドレス情報を正確に再生することのできるアドレス情報検出回路を提供することを目的とする。
【課題を解決するための手段】
【００１０】
上記課題を解決するために、本発明の請求項１にかかるアドレス情報検出回路は、データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、上記データ記録用トラックのウォブル信号をデジタル信号化するＡ／Ｄコンバータと、上記デジタル化したウォブル信号の波形整形を行う第１のデジタルフィルタと、上記ウォブル信号と周波数が等しい単一搬送波を生成する生成回路と、上記生成回路で生成された単一搬送波の位相を、上記ウォブル信号の位相と同期するよう調整する位相調整回路と、上記第１のデジタルフィルタから出力されるウォブル信号と、上記位相調整回路から出力される単一搬送波とを乗算し、位相変調信号として出力する乗算器と、上記位相変調信号の高域成分を除去する第２のデジタルフィルタと、上記位相変調信号の位相変調部と同期したゲート信号を生成するゲート信号生成回路と、上記第２のデジタルフィルタの出力から位相変調パターンを判別する判別器とを備え、上記判別器は、上記ゲート信号に従って上記第２のデジタルフィルタの出力信号を加算する加算器と、上記加算器を、上記ゲート信号に従って、リセットするセレクターとを有していることを特徴とする。
【００１１】
また、本発明の請求項２にかかるアドレス情報検出回路は、請求項１に記載のアドレス情報検出回路において、上記光ディスクは、ＤＶＤ＋ＲＷまたはＤＶＤ＋Ｒ方式の光ディスクであり、上記判別器は、上記位相変調信号の位相変調部に基づいて、上記位相変調信号がシンクパターン、ゼロパターン、またはワンパターンのいずれの位相変調パターンであるかを識別することを特徴とする。
【００１２】
また、本発明の請求項３にかかるアドレス情報検出回路は、請求項２に記載のアドレス情報検出回路において、上記ゲート信号生成回路は、上記位相変調パターンを識別するためのゲート信号およびリセット信号を生成し、上記判別器は、上記ゲート信号に基づいて加算するｂｉｔ数を変更するレジスタを備え、上記リセット信号が入力されると、加算するｂｉｔ数をリセットすることを特徴とする。
【００１３】
また、本発明の請求項４にかかるアドレス情報検出回路は、データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、上記データ記録用トラックのウォブル信号を、デジタル信号化するＡ／Ｄコンバータと、上記デジタル化したウォブル信号の波形整形を行う第１のデジタルフィルタと、上記ウォブル信号と周波数が等しい単一搬送波を生成する生成回路と、上記生成回路で生成された単一搬送波の位相を、上記ウォブル信号の位相と同期するよう調整する位相調整回路と、上記第１のデジタルフィルタから出力されるウォブル信号と、上記位相調整回路から出力される単一搬送波とを乗算し、位相変調信号として出力する乗算器と、上記、位相変調信号の高域成分を除去する第２のデジタルフィルタと、上記位相変調信号の位相変調部と同期したゲート信号を生成するゲート信号生成回路と、上記第２のデジタルフィルタの出力から位相変調パターンを判別する判別器と、上記第１のデジタルフィルタの係数を少なくも２種類以上の任意の値に設定し、該第１のデジタルフィルタの係数を、上記ゲート信号に基づいて切り替える切替手段とを備えたことを特徴とする。
【００１４】
また、本発明の請求項５にかかるアドレス情報検出回路は、データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、上記データ記録用トラックのウォブル信号をデジタル信号化するＡ／Ｄコンバータと、上記デジタル化したウォブル信号の波形整形を行う第１のデジタルフィルタと、上記第１のデジタルフィルタの出力の振幅を、少なくも２種類以上の振幅調整値に調整する振幅調整回路と、上記ウォブル信号と周波数が等しい単一搬送波を生成する生成回路と、上記生成回路で生成された単一搬送波の位相を、上記ウォブル信号の位相と同期するよう調整する位相調整回路と、上記振幅調整回路から出力されるウォブル信号と、上記位相調整回路から出力される単一搬送波とを乗算し、位相変調信号として出力する乗算器と、上記位相変調信号の高域成分を除去する第２のデジタルフィルタと、上記位相変調信号の位相変調部と同期したゲート信号を生成するゲート信号生成回路と、上記第２のデジタルフィルタの出力から位相変調パターンを判別する判別器と、上記振幅調整回路により調整する振幅調整値を、上記ゲート信号に基づいて切り替える切替手段と、を備えたことを特徴とする。
【００１５】
また、本発明の請求項６にかかるアドレス情報検出回路は、データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、上記データ記録用トラックのウォブル信号をデジタル信号化するＡ／Ｄコンバータと、上記デジタル化したウォブル信号の波形整形を行う第１のデジタルフィルタと、上記ウォブル信号と周波数が等しい単一搬送波を生成する生成回路と、上記生成回路で生成された単一搬送波の位相を、上記ウォブル信号の位相と同期するよう調整する位相調整回路と、上記第１のデジタルフィルタから出力されるウォブル信号と、上記位相調整回路から出力される単一搬送波とを乗算し、位相変調信号として出力する乗算器と、上記位相変調信号の高域成分を除去する第２のデジタルフィルタと、上記位相変調信号の位相変調部と同期したゲート信号を生成するゲート信号生成回路と、上記第２のデジタルフィルタの出力から位相変調パターンを判別する判別器と、上記第２のデジタルフィルタの出力を２値化してＡＤＩＰ変調信号として出力するための少なくも２つのスライスレベルを設定するＡＤＩＰ検出回路と、上記スライスレベルを、上記ゲート信号に基づいて切り替える切替手段とを備えたことを特徴とする。
【００１６】
また、本発明の請求項７にかかるアドレス情報検出回路は、データ記録用トラックにアドレス情報および同期をとるためのパターンを所定の規則にしたがって位相変調した周波数成分でウォブリングした光ディスクにデータの記録および再生を行う光ディスク装置のアドレス情報検出回路において、上記データ記録用トラックのウォブル信号をデジタル信号化するＡ／Ｄコンバータと、上記デジタル化したウォブル信号の波形整形を行うデジタルフィルタと、上記ウォブル信号と周波数が等しい単一搬送波を生成する生成回路と、上記生成回路で生成された単一搬送波の位相を、上記ウォブル信号の位相と同期するよう調整する位相調整回路と、上記第１のデジタルフィルタから出力されるウォブル信号と、上記位相調整回路から出力される単一搬送波とを乗算する乗算器と、上記乗算器の出力を積分する第２のデジタルフィルタと、上記ウォブル信号の位相変調信号から位相変調部と同期したゲート信号を生成するゲート信号生成回路と、上記位相調整回路において少なくも２つのゲインを設定し、上記ゲート信号に基づいて切り替える切替手段とを備えたことを特徴とする。
【発明の効果】
【００１７】
本発明のアドレス情報検出回路によれば、検出したＡＤＩＰ信号をシンクパターン，ゼロパターン，ワンパターン信号に識別した情報を加えることによって、より正確なアドレス情報を再生することができる。そのため、従来では、ウォブルＡＤＩＰ変調部を検出する際、ウォブル信号に同期したキャリア信号を乗算し、その積分値を３２Ｔ毎にラッチすることで検出するため、ウォブル信号にノイズなどの影響がある場合、単純なスライス方式の二値化ではＡＤＩＰ信号を誤検出することによってＡＤＩＰ信号のシンクパターン，ゼロパターン，ワンパターンを誤判定する確立が多くなってしまう。本回路を用いることで、信号にノイズが重畳した場合でも正しくＡＤＩＰ信号を検出することができる。
【発明を実施するための最良の形態】
【００１８】
以下に、本発明の実施の形態について図面を参照しながら説明する。
（実施の形態１）
図１は、本発明の実施の形態１にかかるアドレス情報検出回路の構成を示す図である。
本実施の形態１のアドレス情報検出回路は、Ａ／Ｄコンバータ（ＡＤＣ）１と、第１のデジタルフィルタ２と、オフセット除去回路３と、キャリア信号生成回路４と、位相調整回路５と、乗算器７と、第２のデジタルフィルタ８と、ゲート信号生成回路９と、ＡＤＩＰ信号検出回路１０とを備えている。
【００１９】
上記Ａ／Ｄコンバータ１は、光ディスクのデータ記録用トラックのウォブルアナログ信号１ｓをデジタル信号２ｓに変換する。
【００２０】
上記第１のデジタルフィルタ２は、Ａ／Ｄコンバータ１によりデジタル化したウォブル信号２ｓの波形整形を行う。
【００２１】
上記オフセット除去回路３は、第１のデジタルフィルタ２から出力されるウォブル信号３ｓのオフセット除去を行う。
【００２２】
上記キャリア信号生成回路４は、ウォブル信号と周波数が等しい単一搬送波（キャリア信号）５ｓを生成する。
【００２３】
上記位相調整回路５は、キャリア信号５ｓの位相を、ウォブル信号４ｓの位相と同期するよう調整する。
【００２４】
上記乗算器７は、位相調整回路５から出力されるキャリア信号６ｓと、オフセット除去回路３から出力されるウォブル信号４ｓとを乗算する。
【００２５】
上記第２のデジタルフィルタ８は、乗算器７の乗算結果７ｓを積分し、高域成分を除去する。
【００２６】
上記ＡＤＩＰ信号検出回路１０は、デジタルフィルタ８の出力８ｓから位相変調信号（ＡＤＩＰ信号）を検出し、該位相変調信号の位相変調パターンを判別し、ＡＤＩＰ変調信号判別信号１２ｓを出力する。また、このＡＤＩＰ信号検出回路１０は、スライスレベルを用いてＡＤＩＰ信号を２値化し、ＡＤＩＰ２値化信号１１ｓを出力する。なお、位相変調パターンとは、シンクパターン、ゼロパターン、ワンパターンの３種類である。位相変調部とは、第２のデジタルフィルタ出力８ｓのＨｉｇｈ区間のことである。
【００２７】
上記ゲート信号生成回路９は、ＡＤＩＰ２値化信号１１ｓから位相変調部と同期したゲート信号１０ｓを生成する。
【００２８】
図２は、ＡＤＩＰ検出回路１０の詳細な構成を示す図である。
図において、ゲート信号１０４ｓ、１０５ｓ、１０６ｓおよびリセット信号１１０ｓは、位相変調パターンを識別するためにゲート信号生成回路９により生成される。
【００２９】
ＡＤＩＰ検出回路１０は、反転部１０１、第一のセレクター１０２、第二のセレクター１０３、および加算器１０４を備えている。
上記反転部１０１は、信号８ｓの極性を反転する。
【００３０】
上記第一のセレクター１０２は、ゲート信号１０５ｓの入力により、信号８ｓまたは反転部１０１の出力を選択する。
【００３１】
上記第二のセレクター１０３は、ゲート信号１０４ｓの入力により、第１のセレクタ１０２の出力または０を選択する。
【００３２】
上記加算器１０４は、位相変調パターンに基づいて加算するｂｉｔ数を変更する。ゲート信号１０６ｓがＨＩＧＨのときｂｉｔ数を加算し、リセット信号１１０が入力されると、加算値をリセットする。
【００３３】
以下に、ＡＤＩＰ検出回路１０の動作について図３を用いて説明する。
図３において、信号１０１ｓ、１０２ｓ、１０３ｓは、ＡＤＩＰ検出回路１０に入力される第２のデジタルフィルタ出力８ｓの３種類の位相変調パターンを示す。また、信号１０７ｓ、１０８ｓ、１０９ｓは、ＡＤＩＰ２値化信号１１ｓの３種類の位相変調パターンを示す。
【００３４】
時間Ｔ１からＴ２の期間では、シンクパターン１０１ｓ、ゼロパターン１０２ｓ、ワンパターン１０３ｓの全てのパターンで、第２のデジタルフィルタ出力８ｓは、ハイレベルである。一方、時間Ｔ２から時間Ｔ３の期間では、シンクパターン１０１ｓはハイレベルであるが、ゼロパターン１０２ｓとワンパターン１０３ｓはローレベルである。
【００３５】
そこで、時間Ｔ２からＴ３の期間において、第２のデジタルフィルタ出力８ｓのハイレベルが連続している場合、つまり、シンクパターン１０１ｓの場合は、＋側に値を加算する。第２のデジタルフィルタ出力８ｓのローレベルが連続している場合、つまり、ゼロパターン１０２ｓとワンパターン１０３ｓの場合は、−側に値を加算していく。
【００３６】
これにより、時間Ｔ３において、信号１１１ｓ、１１２ｓ、１１３ｓのように、シンクパターンは＋の値をとり、ゼロパターンまたはワンパターンはマイナスの値を取っているため、信号８ｓの位相変調パターンがシンクパターンであるか否かを判別することができる。この間、瞬間的にノイズが信号８ｓに重畳したとしても、平均化されるため、ノイズによる誤判定する確率を低減することができる。
【００３７】
次に、時間Ｔ３からＴ４の期間では、ゼロパターン１０２ｓがローレベルに対して、ワンパターン１０３ｓがハイレベルである。時間Ｔ４からＴ５の期間では、ゼロパターン１０２ｓがハイレベルに対して、ワンパターン１０３ｓはローレベルである。
【００３８】
そこで、時間Ｔ３からＴ４の期間と、時間Ｔ４からＴ５の期間との間で、加算する極性を切り替える。すると、時間Ｔ５では、ゼロパターンは＋の値をとり、ワンパターン１０９は−値を取っているため、信号８ｓの位相変調パターンが、ゼロパターンであるかワンパターンであるかを判別することができる。
【００３９】
また、加算器１０４が加算するｂｉｔ数を設定するレジスタを備え、ゲート信号を上記ＡＤＩＰ変調信号を識別する際に、レジスタの設定値を変更して加算するｂｉｔ数を変更する構成とすることにより、信号１０７ｓ、１０８ｓ、１０９ｓがゼロクロス点を越えず、極性が変わらない状態が続いても値を加算することで時間Ｔ３もしくはＴ５においてＡＤＩＰ信号のパターンを判別する効果を高めることができる。
【００４０】
（実施の形態２）
図４は、本発明の実施の形態２にかかるアドレス情報検出回路の構成を示す図である。図において、図１と同一構成要素については同一符号を付している。
本実施の形態２のアドレス情報検出回路は、図１に示すアドレス情報検出回路の構成に加えて、切替手段３０３を備えている。
上記切替信号３０３は、第１のデジタルフィルタ２の係数を、少なくとも２種類以上の任意の値に設定し、位相反転部ゲート信号１１４ｓに基づいて切り替える。ここでは、第一の係数３０１または第二の係数３０２のいずれかを選択し、第１のデジタルフィルタ２に出力するものとする。
【００４１】
次に、本実施の形態２の作用、効果について説明する。
通常、第１のデジタルフィルタ２をローパスフィルタもしくはバンドパスフィルタで構成した場合、フィルタの周波数特性をウォブル単一波形に最適になるように特性を一致させると、位相反転部の周波数が低くなるため、位相反転部の信号振幅が低下する。さらに、信号８ｓにノイズが重畳すると、Ｓ／Ｎ比（シグナルノイズ比）が低下し、その結果、ＡＤＩＰ信号の検出率が低下することになる。
【００４２】
そこで、本実施の形態では、ゲート信号生成回路９で生成した位相反転部ゲート信号１１４ｓに基づいて、ウォブル単一波形部と位相反転部を、切替手段３０３によってそれぞれに最適な設定に切り替えるようにした。これにより、ウォブル単一波形と位相反転部のそれぞれに最適な信号振幅に調整することができる。
【００４３】
なお、上記乗算器７の出力７ｓを積分する第２のデジタルフィルタ８に対して、位相反転部ゲート信号１１４ｓによりフィルタの係数を切り替える回路構成をとった場合には、ウォブル単一波形部の周波数帯域を低くすることで、ノイズをＡＤＩＰ信号として誤検出する確率を低減することができる。
【００４４】
（実施の形態３）
図５は、本発明の実施の形態３にかかるアドレス情報検出回路の構成を示す図である。図において、図４と同一構成要素については同一符号を付している。
本実施の形態３のアドレス情報検出回路は、図１に示すアドレス情報検出回路の構成に加えて、切替手段４０３、及び振幅調整回路４０４を備えている。
【００４５】
上記振幅調整回路４０４は、オフセット除去回路３と乗算器７との間に位置し、オフセット除去されたウォブル信号４の振幅を調整する。
【００４６】
上記切替手段４０３は、オフセット除去されたウォブル信号４ｓの振幅調整値を、少なくとも２種類以上に設定し、位相反転部ゲート信号１１４ｓに基づいて切り替える。ここでは、第一の振幅調整値４０１、または第二の振幅調整値４０２のいずれかを選択し、振幅調整回路４０４に出力するものとする。
【００４７】
次に、本実施の形態３の作用、効果について説明する。
オフセット除去後のウォブル信号３１ｓは、図６に示すように、単一波形部とウォブル位相反転部とで周波数特性が異なっている。つまり、Ｌ１、Ｌ２のような振幅の差分が生じる。この差分は、デジタルフィルタ２を通過することにより発生する。
【００４８】
このような位相反転部での振幅低下を改善するために、本実施の形態では、ウォブル単一波形部とウォブル位相反転部とでそれぞれに最適な振幅調整値を設定した。具体的には、位相反転部ゲート信号がＬｏｗのとき、つまり、ウォブル単一波形部では、第一の振幅調整値４０１による制御を行い、位相反転部ゲート信号１１４ｓがＨｉｇｈのとき、つまり、ウォブル位相反転部では、第二の振幅調整値４０２による制御を行うようにした。これにより、ウォブル単一波形部とウォブル位相反転部のそれぞれに最適な信号振幅に調整することができる。
【００４９】
（実施の形態４）
図７は、本発明の実施の形態４にかかるアドレス情報検出回路の構成を示す図である。図において、図１と同一構成要路については同一符号を付している。
本実施の形態４のアドレス情報検出回路は、図１に示すアドレス情報検出回路の構成に加えて、切替手段５０３を備えている。
上記切替手段５０３は、第２のデジタルフィルタ出力８ｓのスライスレベルを、少なくとも２つ以上設定し、位相反転部ゲート信号１１４ｓに基づいて切り替える。ここでは、第１のスライスレベル５０１または第２のスライスレベル５０２のいずれかを選択し、ＡＤＩＰ信号検出回路１０に出力するものとする。
【００５０】
次に、本実施の形態４の作用、効果について説明する。
通常、第２のデジタルフィルタ出力８ｓは、図８（ａ）に示すように、所定のスライスレベルを用いて２値化することで、ＡＤＩＰ２値化信号１１ｓが得られる。しかしながら、信号８ｓにノイズが重畳していると、ＡＤＩＰ信号を誤検出してしまう場合がある。
【００５１】
そこで、本実施の形態では、図８（ｂ）に示すように、位相反転部ゲート信号１１４ｓがＨｉｇｈのとき、つまり、ウォブル位相反転部では、スライスレベル１を用いて２値化し、位相反転部ゲート信号１１４ｓがＬｏｗのとき、つまり、ウォブル単一波形部では、スライスレベル２を用いて２値化するようにした。これにより、位相反転部ゲート信号１１４ｓにより、ウォブル単一波形部とウォブル位相反転部とでスライスレベルを切り替えるよことができるため、ウォブル単一波形部に重畳するノイズをＡＤＩＰ信号として誤検出したり、隣接クロックからのクロストークによりＡＤＩＰ信号を誤検出してしまったりするのを防ぐことができる。
【００５２】
（実施の形態５）
図９は、本発明の実施の形態５に係るアドレス情報検出回路の構成を示す図である。図において、図１と同一構成要素については同一符号を付している。
本実施の形態５のアドレス情報検出回路は、図１のアドレス情報検出回路の構成に加えて、切替手段６０３を備えている。
上記切替手段６０３は、位相調整回路５のゲイン値を少なくとも２つ以上設定し、位相反転部ゲート信号１１４ｓに基づいて切り替える。ここでは、第一のゲイン６０１または第二のゲイン６０２のいずれかを選択し、位相調整回路５に出力するものとする。
【００５３】
次に、本実施の形態５の作用、効果について説明する。
位相反転部ゲート信号１１４ｓに基づいて、ウォブル位相反転部のゲインをウォブル単一波形部より低く設定するように位相調整回路５のゲインを切り替えた。これにより、ウォブル位相反転部で位相が反転して、位相調整回路５が逆位相へ応答してしまうのを防止することができる。
【００５４】
さらに、ウォブル位相反転部で位相調整回路５の動作をホールドしないようにした。これにより、位相反転部ゲート信号１１４ｓが実際のウォブル位相反転部とずれてしまっていても、位相調整回路５を正確に動作させることができる。
【産業上の利用可能性】
【００５５】
本発明にかかるＤＶＤ＋ＲＷ方式のＡＤＩＰアドレス情報検出回路は、ＡＤＩＰ信号判別手段を有し、ＰＣ用ＤＶＤ＋ＲＷ方式記録型光ディスク装置等として有用である。またやＤＶＤレコーダー等の用途にも応用できる。
【図面の簡単な説明】
【００５６】
【図１】本発明の実施の形態１によるアドレス情報検出回路の構成例を示すブロック図である。
【図２】上記実施の形態１のアドレス情報検出回路を構成する、ＡＤＩＰ信号検出回路の詳細な構成を示す図である。
【図３】上記実施の形態１のアドレス情報検出回路における、信号波形図を示す図である。
【図４】本発明の実施の形態２によるアドレス情報検出回路の構成例を示すブロック図である。
【図５】本発明の実施の形態３によるアドレス情報検出回路の構成例を示すブロック図である。
【図６】上記実施の形態３における、信号波形図を示す図である。
【図７】本発明の実施の形態４によるアドレス情報検出回路の構成例を示すブロック図である。
【図８】上記実施の形態４における、信号波形図を示す図である。
【図９】本発明の実施の形態５によるアドレス情報検出回路の構成例を示すブロック図である
【図１０】ＡＤＩＰ信号の説明図である。
【符号の説明】
【００５７】
１  ＡＤコンバータ
２  第１のデジタルフィルタ
３  オフセット除去回路
４  キャリア信号生成
５  位相調整回路
６  ラッチ信号生成回路
７  乗算器
８  第２のデジタルフィルタ
９  ゲート信号生成回路
１０  ＡＤＩＰ信号検出回路
１０１  信号の極性反転部
１０２  第一のセレクタ
１０３  第二のセレクタ
１０４  加算器
３０１  デジタルフィルタの第一の係数
３０２  デジタルフィルタの第二の係数
３０３  切替手段
４０４  振幅調整回路
４０１  第一の振幅調整値
４０２  第二の振幅調整値
４０３  切替手段
５０１  第１のスライスレベル
５０２  第２のスライスレベル
５０３  切替手段
６０１  第一のゲイン
６０２  第二のゲイン
６０３  切替手段
【図１】
2007310975.tif 000003
【図２】
2007310975.tif 000004
【図３】
2007310975.tif 000005
【図４】
2007310975.tif 000006
【図５】
2007310975.tif 000007
【図６】
2007310975.tif 000008
【図７】
2007310975.tif 000009
【図８】
2007310975.tif 000010
【図９】
2007310975.tif 000011
【図１０】
2007310975.tif 000012